(57)【要約】【課題】ファール球を回収する回収経路において、回収経路に挿入された異物を遊技盤へ到達させることを防止する。【解決手段】ファール球回収経路（回収経路）９０は、案内経路６１に連通する第１開口（第１経路）７１と、上段受皿（貯留皿）１０に連通する第２開口（第２経路）８０ａと、第１開口７１を通過した遊技球を受け入れるための受入部７２と、受入部７２と第２開口８０ａとの間に設けられた後部回収経路７０の第１屈曲部（屈曲経路）７３、第２屈曲部（屈曲経路）７６および前部回収経路８０の第３屈曲部（屈曲経路）８１とを有しており、これら第１〜第３屈曲部７３，７６，８１には、第２開口８０ａから挿入されたピアノ線等（異物）を第２開口８０ａから第１開口７１に向けて不正侵入させることを防止する第１〜第３誘導口７３ｃ，７６ｃ，８１ｃ（不正侵入防止部）が形成されている。【選択図】図６
2020156614.tif 000002
【特許請求の範囲】
【請求項１】
遊技球を発射する発射装置と、前記発射装置によって発射された遊技球を遊技領域に案内する案内経路が形成された遊技盤と、遊技球を貯留する貯留皿と、前記遊技領域に到達しなかった遊技球を回収して貯留皿に流下させる回収経路とを備えている遊技機であって、
前記回収経路は、前記案内経路に連通する第１経路と、前記貯留皿に連通する第２経路と、前記第１経路と前記第２経路との間に設けられた屈曲経路とを有しており、
前記屈曲経路には、挿入された異物が前記第２経路から前記第１経路に向けて不正侵入することを防止する不正侵入防止部が形成されている、ことを特徴とする遊技機。
【請求項２】
前記不正侵入防止部には、遊技球を円滑に通過させるための案内壁が形成されている、ことを特徴とする請求項１に記載の遊技機。
【発明の詳細な説明】
【技術分野】
【０００１】
本発明は、発射装置と遊技領域との間に形成された案内経路を逆流した遊技球を回収するための回収経路を備えた遊技機に関する。
【背景技術】
【０００２】
パチンコ機においては、操作ハンドルの回転操作量に応じて、発射装置から遊技球が所定の強度で遊技盤の遊技領域に向けて発射される。このとき、発射された遊技球は、遊技領域の側部に形成された案内経路を通過するが、その後に案内経路の遊技領域に連通する上端を超えた場合、遊技領域に到達できるようになっている。一方で、発射された遊技球が案内経路の上端を超えて遊技領域に到達できなかったり、遊技領域に到達した遊技球が釘等に衝突して案内経路に跳ね返った場合、その遊技球は案内経路を逆流する所謂ファール球となってしまう。このようなファール球は、案内経路の下端近傍に形成された第１開口を通過した後、遊技盤の下方に配設されたファール球を回収する回収経路に取り込まれる。そして、ファール球は、この回収経路に沿って流下していき、回収経路の下流側に形成された第２開口を通過した後、賞球を貯留する貯留皿へ払い戻されるようになっている。従来、例えば特許文献１に記載の遊技機では、ファール球は、遊技領域の側部の発射案内路（案内経路）の下端近傍に形成されたファール口（第１開口）を通過した後、回収経路に沿って流下して球出口（第２開口）を通過すると、皿ユニットの貯留部（貯留皿）に払い戻されるようになっている。
【先行技術文献】
【特許文献】
【０００３】
【特許文献１】特開２００８−２５９５２３号公報
【発明の概要】
【発明が解決しようとする課題】
【０００４】
しかしながら、上記のような遊技機では、回収経路において、貯留皿に連通する第２開口から例えばピアノ線等の異物が挿入されることによって、遊技球を不正に獲得する所謂ゴト行為が行われることがある。具体的には、第２開口から挿入したピアノ線を回収経路に沿って第１開口に到達させた後、第１開口を経て案内経路に沿って遊技領域まで至らせ、この状態でピアノ線を遊技領域内の所定位置、例えば始動入賞口の近くに配置して始動入賞口への入球経路を作り出す等の行為が行われることがある。このような行為に対処するために、回収経路において、第２開口から挿入された異物を回収経路に沿って遊技盤へ到達させることを防止する必要があった。
【０００５】
本発明は、上記した実情に鑑みてなされたものであり、その目的は、ファール球を回収する回収経路において、回収経路に挿入された異物を遊技盤へ到達させることを防止できる遊技機を提供することにある。
【課題を解決するための手段】
【０００６】
上記の課題を解決するため、本発明は、遊技球を発射する発射装置と、前記発射装置によって発射された遊技球を遊技領域に案内する案内経路が形成された遊技盤と、遊技球を貯留する貯留皿と、前記遊技領域に到達しなかった遊技球を回収して貯留皿に流下させる回収経路とを備えている遊技機であって、前記回収経路は、前記案内経路に連通する第１経路と、前記貯留皿に連通する第２経路と、前記第１経路と前記第２経路との間に設けられた屈曲経路とを有しており、前記屈曲経路には、挿入された異物が前記第２経路から前記第１経路に向けて不正侵入することを防止する不正侵入防止部が形成されている、ことを特徴とする。
【０００７】
また、上記構成において、本発明は、前記不正侵入防止部には、遊技球を円滑に通過させるための案内壁が形成されている、ことを特徴とする。
【発明の効果】
【０００８】
本発明によると、ファール球を回収する回収経路において、回収経路に挿入された異物を遊技盤へ到達させることを防止できる。
【図面の簡単な説明】
【０００９】
【図１】本実施形態例に係るパチンコ機の正面図である。
【図２】図１に示すパチンコ機の斜視図である。
【図３】図１に示すパチンコ機の前扉を開放した状態を示す斜視図である。
【図４】図１に示すパチンコ機の背面図である。
【図５】（ａ）は図１に示すパチンコ機の前部ファール球回収部材と後部ファール球回収部材とが組み合わされた状態の斜視図であり、（ｂ）は（ａ）の上面図である。
【図６】図５に示すファール球回収経路の拡大上面図である。
【図７】図５に後部ファール球回収部材の斜視図である。
【図８】図７に示す後部回収経路の拡大斜視図である。
【図９】変形例に係るファール球回収経路を示す上面図である。
【発明を実施するための形態】
【００１０】
発明の実施の形態について図面を参照して説明すると、図１，２に示すように、本発明の実施形態例に係るパチンコ機（遊技機）Ｐは、遊技場の島設備に設置される縦長方形状の外枠１と、外枠１に扉状に開閉自在に取り付けられる内枠２と、内枠２の前面に扉状に開閉自在に取り付けられる前扉３等を備えている。内枠２は後述する遊技盤（図３参照）を保持しており、前扉３はガラスやプラスチック等からなる透明板４を保持している。
【００１１】
外枠１の左側枠部には、上側軸受け体１Ａと下側軸受け体１Ｂが固着されている。一方、内枠２の左側枠部の上下両端には、第１ピン（図示せず）が設けられている。これら両第１ピンを上側軸受け体１Ａと下側軸受け体１Ｂに軸支することによって、内枠２を外枠１に対して開閉自在に支持する第１ヒンジ機構が構成されている。
【００１２】
内枠２の右側枠部は第１ヒンジ機構と反対側の自由端側であり、この右側枠部にはシリンダ錠５が設けられている。図示は省略されているが、内枠２の右側面にはシリンダ錠５を有する施錠装置が設置されている。この施錠装置は、内枠２の裏面側に突出する後部施錠杆と、内枠２の前面側に突出する前部施錠杆とを備えている。常態では、施錠装置の後部施錠杆によって外枠１に対して内枠２が施錠されるとともに、前部施錠杆によって内枠２に対して前扉３が施錠されている。シリンダ錠５の鍵穴に図示せぬ鍵を差し込んでこれを一方向（例えば時計回り）へ回動すると、後部施錠杆が下動して内枠２が開錠されるようになっている。また、シリンダ錠５の鍵穴に差し込んだ鍵を他方向（反時計回り）へ回動すると、前部施錠杆が上動して前扉３が開錠されるようになっている。
【００１３】
前扉３の左側枠部の上下両端には、第２ピン（図示せず）が設けられており、これら両第２ピンを内枠２の左側枠部に突設した上下の支持板２ａ，２ｂに軸支することによって、前扉３を内枠２の左側枠部に対して開閉自在に支持する第２ヒンジ機構が構成されている。
【００１４】
図３に示すように、内枠２の上部内側には遊技盤６が収納されており、この遊技盤６は遊技球が流下する遊技領域６０と、後述する発射装置から発射された遊技球を遊技領域６０に案内する案内経路６１とを有している。案内経路６１は、遊技領域６０の左側方に円弧状に形成されており、上端において遊技領域６０と連通している。遊技球がこの案内経路６１の上端を超えた場合、遊技領域６０に到達できるようになっている。一方、遊技球がこの案内経路６１の上端を超えて遊技領域６０に到達できなかったり、遊技領域６０に到達した遊技球が例えば遊技領域６０内に設けられた釘等に衝突して案内経路６１に跳ね返った場合、その遊技球は案内経路６１を逆流するファール球となる。
【００１５】
遊技領域６０は、ガイドレール６２等によって略円形状に区画されているとともに、前扉３の透明板４を透して目視可能となっている。この遊技領域６０には、遊技球の入球が大当たり抽選の実行契機となる始動入賞口６３、遊技球の入球が所定個数の賞球の払い出し契機となる一般入賞口６４、遊技領域６０の下部に流下してきた遊技球を外部に排出するアウト口６５等が設けられている。また、遊技盤６よりも下方の内枠２には、遊技球を遊技領域６０に向けて発射する発射装置４０と、上記したファール球を回収するためのファール球回収経路の後部分を構成する後部ファール球回収部材４１等が設けられている。また、前扉３の背面側には、発射装置４０に対して遊技球を供給する球供給装置４２と、ファール球回収経路の前部分を構成する前部ファール球回収部材４３等が設けられている。前部ファール球回収部材４３は、後部ファール球回収部材４１を通った遊技球を外部に排出するための排出経路と、賞球を払い出すための賞球払出経路とを有している。なお、ファール球回収経路の詳細については後述する。
【００１６】
図１，２に戻り、前扉３は中央に開口部３０を有しており、この開口部３０を塞ぐように透明板４が取り付けられている。前扉３には、透明板４の下方に遊技球を収容可能な上段受皿１０および下段受皿１１が設けられており、下段受皿１１の右側方に遊技球の発射操作を行うための操作ハンドル１２が設けられている。また、前扉３には、透明板４の上方から左側方にかかる部位を囲むように装飾レンズ１３が設けられ、透明板４の右上方に回転灯ユニット１４が設けられ、回転灯ユニット１４の真下であって透明板４の右側方にサイドパネルユニット１５が設けられ、上段受皿１０の前面中央に演出操作ボタンユニット１６が設けられ、透明板４の左右下方と上方に複数（本例では、４つ）のスピーカ１７ａ〜１７ｄが設けられている。
【００１７】
図４に示すように、このパチンコ機Ｐの背面側には、遊技に関する主要な処理を行う主制御基板１８と、主制御基板１８からの指令を受けてスピーカ１７ａ〜１７ｄ等の各種演出装置を制御する副制御基板１９と、賞球を上段受皿１０に払い出す賞球払出装置２０と、主制御基板１８からの指令を受けて賞球払出装置２０を制御する払出制御基板２１と、操作ハンドル１２の回転操作量に応じて発射装置４０の作動を制御する発射制御基板２２と、大当たり回数等の各種情報を遊技場のホールコンピュータに出力する外部端子基板２３等が設けられている。主制御基板１８には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００１８】
以下、図５〜図８を参照して、ファール球回収経路について説明する。図５（ａ），（ｂ）は、内枠２に対して前扉３が閉じられた状態におけるファール球回収経路（回収経路）９０を示している。このファール球回収経路９０は、内枠２の後部ファール球回収部材４１（図３参照）に形成されている後部回収経路７０と、前扉３の前部ファール球回収部材４３（図３参照）に形成されている前部回収経路８０とが組み合わされて構成されている。ファール球（案内経路６１を逆流した遊技球）は、遊技盤６の案内経路６１の下端近傍からファール球回収経路９０内に回収された後に、後部回収経路７０と前部回収経路８０を順次流下していき、上段受皿（貯留皿）１０に流下するようになっている。
【００１９】
次に、図６〜８を参照して、後部回収経路７０と前部回収経路８０の詳細について説明する。なお、図６は、図５（ｂ）に示す矩形状に囲まれた領域Ａの拡大図であり、図７は後部ファール球回収部材４１の斜視図であり、図８は図７に示す矩形状に囲まれた領域Ｂの拡大図である。図６に示すように、後部回収経路７０は、案内経路６１に連通する第１開口（第１経路）７１（図３参照）と、第１開口７１を通過した遊技球を受け入れる受入部７２と、受入部７２を流下した遊技球の流路を屈曲させる第１屈曲部（屈曲経路）７３と、第１屈曲部７３を流下した遊技球を左方に流下させる延出部７４と、延出部７４を流下した遊技球を略Ｓ字状に屈曲させながら前方に流下させる前方流下部７５の一部とを有している。前部回収経路８０は、上記した前方流下部７５の一部を除く大部分を有している。また、前部回収経路８０は、上段受皿（貯留皿）１０に連通する第２開口（第２経路）８０ａ（図２、図５（ａ）参照）を有しており、後部回収経路７０を流下した遊技球を上段受皿１０に排出する排出経路になっている。なお、図３に示した後部ファール球回収部材４１と前部ファール球回収部材４３は、簡略化して図示している。
【００２０】
第１開口７１は、遊技盤６の案内経路６１の下端と隣接して設けられており、受入部７２の上方に位置している。そのため、ファール球は、この第１開口７１を通過すると、下方に落下して受入部７２に受け入れられ、ファール球回収経路９０内に取り込まれることになる。
【００２１】
図６〜８に示すように、受入部７２は、略矩形状に形成された２条の第１傾斜経路７２ａと第２傾斜経路７２ｂとを有しており、第１傾斜経路７２ａが前面側に位置しており、第２傾斜経路７２ｂが背面側に位置している。第１傾斜経路７２ａは右下がりに傾斜している一方で、第２傾斜経路７２ｂは左下がりに傾斜している（図７，８参照）。第１傾斜経路７２ａの右端部と第２傾斜経路７２ｂの右端部とが同じ高さになって連結されており、第１傾斜経路７２ａの右端部から第２傾斜経路７２ｂの右端部へと遊技球が滑らかに転動可能になっている。受入部７２に受け入れられた遊技球は、第１傾斜経路７２ａの左端部上に落下した後に、第１傾斜経路７２ａに沿って右下方に流下し、第１傾斜経路７２ａの右端部から第２傾斜経路７２ｂの右端部に滑らかに転動する。そして、第２傾斜経路７２ｂに沿って左下方に流下した後に、第１屈曲部７３に至るようになっている。
【００２２】
第１屈曲部７３は、受入部７２の第２傾斜経路７２ｂの左端部に対して背面側に位置している。そして、第１屈曲部７３は、上流側において第２傾斜経路７２ｂと連通するとともに、下流側において延出部７４と連通している。第１屈曲部７３の延出部７４と対向する端部に、第１壁部７３ａが形成されている。この第１壁部７３ａは、第２傾斜経路７２ｂから第１屈曲部７３の方向に向かって直線状に立設されており、受入部７２から第１屈曲部７３へ遊技球を円滑に案内する案内壁としての役割を果たしている。なお、第１壁部７３ａの高さは、例えば１．５センチであり、遊技球の直径である１．１センチよりも大きく設定されている。
【００２３】
また、第１屈曲部７３には、第２傾斜経路７１ｂの左端部と対向するように第２壁部７３ｂが形成されている。この第２壁部７３ｂには流路内へ突出するリブ７３０ｂが形成されており、このリブ７３０ｂは、第１屈曲部７３から延出部７４に遊技球を円滑に通過させる案内壁としての役割を果たしている。第１壁部７３ａと第２壁部７３ｂとは互いに離れて配置されており、これらの間に例えばピアノ線等を用いたゴト対策用の第１誘導口７３ｃが形成されている。つまり、この第１誘導口７３ｃは、上段受皿１０に連通する第２開口８０ａ（図２，図５（ａ）参照）からファール球回収経路９０内に挿入されたピアノ線（異物）を挿入可能になっており、ピアノ線を第１開口７１に向けて不正侵入させることを防止する役割を果たしている。このように、本実施形態例では、第１屈曲部７３において、第１壁部７３ａ、第２壁部７３ｂ、および第１誘導口７３ｃによって、ピアノ線が第２開口（第２経路）８０ａから第１開口（第１経路）７１に向けて不正侵入することを防止するための構成（不正侵入防止部）が実現されている。なお、第１誘導口７３ｃの奥側はファール球回収経路９０外となり、ここには第１誘導口７３ｃを開口とした第１空間Ｓ１が形成されている。第１空間Ｓ１は、第１誘導口７３ｃを通過したピアノ線を内部に閉じ込めるように奥側を閉塞した袋形状となっている。第１屈曲部７３に至った遊技球は、第１壁部７３ａ、第２壁部７３ｂまたはリブ７３０ｂに当接して左方に流下して延出部７４に至るようになっている。
【００２４】
延出部７４は、第１屈曲部７３の左側方に位置しており、若干蛇行しながら左右方向に延びるように形成されている。そして、この延出部７４は、上流側において第１屈曲部７３と連通しており、下流側において前方流下部７５と連通している。なお、延出部７４は、若干蛇行しているが、左右方向に沿って直線状に延びるように形成されていてもよい。延出部７４に至った遊技球は、左方に流下して前方流下部７５に至るようになっている。
【００２５】
前方流下部７５は、延出部７４の左側方に位置しており、略Ｓ字曲線状に蛇行しながら前方に延びるように形成されている。この前方流下部７５は、上流側で延出部７４と連通しており、下流側で第２開口８０ａ（図２，５（ａ）参照）を介して上段受皿１０と連通している。後部回収経路７０内に形成された前方流下部７５の一部は、流路が屈曲した第２屈曲部７６を有している。この第２屈曲部７６は、略直角に屈曲した第３壁部７６ａを有しており、この第３壁部７６ａには流路内に突出する複数（本例では、２個）のリブ７６０ａ（図７，８参照）が上下方向に所定間隔だけ離れて形成されている。そして、これらのリブ７６０ｂは、第２屈曲部７６から前部回収経路８０に遊技球を円滑に通過させる案内壁としての役割を果たしている。また、これらのリブ７６０ａが流路内に突出している分だけ、第２屈曲部７６において、第３壁部７６ａの奥行方向の深さが浅くなっている。第３壁部７６ａの右側方には第４壁部７６ｂが形成されており、この第４壁部７６ｂの左端部は、リブ７６０ａの右端部よりも流路内に突出している。第３壁部７６ａと第４壁部７６ｂとが互いに離れて配置されており、これらの間にピアノ線を用いたゴト対策用の第２誘導口７６ｃが形成されている。つまり、この第２誘導口７６ｃも、第１誘導口７３ｃと同様の役割を果たしている。このように、本実施形態では、第２屈曲部７６において、第３壁部７６ａ、第４壁部７６ｂ、および第２誘導口７６ｃによって、ピアノ線が第２開口（第２経路）８０ａから第１開口（第１経路）７１に向けて不正侵入することを防止するための構成（不正侵入防止部）が実現されている。なお、第２誘導口７６ｃの奥側はファール球回収経路９０外となり、ここには第２誘導口７６ｃを開口とした第２空間Ｓ２が形成されている。第２空間Ｓ２は、第２誘導口７６ｃを通過したピアノ線を内部に閉じ込めるように奥側を閉塞した袋形状となっている。第２屈曲部７６に至った遊技球は、複数のリブ７６０ａに当接して前方に流下して前部回収経路８０に至るようになっている。
【００２６】
図６に示すように、前部回収経路８０は、前述したように、前方流下部７５の大部分を構成している経路である。この前部回収経路８０には、流路が屈曲した第３屈曲部（屈曲部）８１が形成されている。この第３屈曲部８１には、上流側左方に第５壁部８１ａが形成されており、下流側左方に第６壁部８１ｂが形成されている。これら第５壁部８１ａと第６壁部８１ｂとが互いに離れて配置されており、これらの間にピアノ線を用いたゴト対策用の第３誘導口８１ｃが形成されている。つまり、この第３誘導口８１ｃも、第１誘導口７３ｃおよび第２誘導口７６ｃと同様の役割を果たしている。このように、本実施形態例では、第３屈曲部８１において、第５壁部８１ａ、第６壁部８１ｂ、および第３誘導口８１ｃによって、ピアノ線が第２開口（第２経路）８０ａから第１開口（第１経路）７１に向けて不正侵入することを防止するための構成（不正侵入防止部）が実現されている。なお、第３誘導口８１ｃの奥側はファール球回収経路９０外となり、ここには第３誘導口８１ｃを開口とした第３空間Ｓ３が形成されている。第３空間Ｓ３は、第３誘導口８１ｃを通過したピアノ線を内部に閉じ込めるように奥側を閉塞した袋形状となっている。前部回収経路８０に至った遊技球は、屈曲しながら流下して、上段受皿１０に払い出されるようになっている。
【００２７】
以上説明したように、本実施形態例に係るパチンコ機（遊技機）Ｐでは、上段受皿（貯留皿）１０に連通する第２開口（第２経路）８０ａから挿入されたピアノ線等（異物）を第１〜第３屈曲部７３，７６，８１に形成された第１〜第３誘導口（不正侵入防止部）７３ｃ，７６ｃ，８１ｃに誘導して、ピアノ線等を第２開口８０ａから第１開口７１に向けて不正侵入させることを防止することができる。したがって、ファール球回収経路９０に挿入されたピアノ線等を遊技盤６に到達させることを防止できる。
【００２８】
また、本実施形態例では、ファール球回収経路９０に下流側から上流側に向かって第１誘導口７３ｃ、第２誘導口７６ｃ、第３誘導口８１ｃといったように、ピアノ線の不正進入を防止する構成が複数個も用意されている。したがって、上段受皿１０に連通する第２開口８０ａからピアノ線が挿入されたとしても、第１〜第３誘導口７３ｃ，７６ｃ，８１ｃそれぞれにおいてピアノ線の不正進入を防止することができるので、ピアノ線を用いたゴト対策を十分に講じることができる。
【００２９】
また、本実施形態例では、受入部７２は、２条の第１傾斜経路７２ａと第２傾斜経路７２ｂとを有しているので、案内経路６１と連通する第１開口７１を落下した遊技球を受け入れるためのスペースを十分に確保することができる。
【００３０】
また、本実施形態例では、後部回収経路７０の第２屈曲部７６において、第４壁部７６ｂの左端部は、第３壁部７６ａに形成された複数のリブ７６０ａの右端部よりも流路内に突出している。そのため、上段受皿１０に連通する第２開口８０ａから、遊技球を逆流させるように押し込んでも、リブ７６０の右端部に当接した遊技球は、右側方から第４壁部７６ｂの左端部によって押し返されるようになっている。したがって、このように第２開口８０ａから押し込まれた遊技球の進行を阻止することができる。
【００３１】
また、本実施形態例では、後部回収経路７０の第２屈曲部７６において、リブ７６０ａが流路内に突出するように形成されている分だけ、第３壁部７６ａの奥行方向の深さが浅くなっている。そのため、第３壁部７６ａが形成されている箇所において、２つの遊技球同士が挟まって球詰まりが発生してしまうことを防止できるようになっている。
【００３２】
また、本実施形態例では、後部回収経路７０の第２屈曲部７６において、第３壁部７６ａにリブ７６０ａが複数（本例では、２個）形成されている。仮にリブ７６０が１個だけ形成されている場合、この１個のリブ７６０ａを遊技球が乗り越えて第２屈曲部７６の奥側に進行する場合がある。そのため、このような事態が生じないように、第３壁部７６ａに上下方向に沿って複数のリブ７６０ａを設けることにより、第２屈曲部７６で球詰まりが発生してしまうことを確実に防止している。
【００３３】
また、本実施形態例では、後部回収経路７０の第２屈曲部７６において、第３壁部７６ａに複数のリブ７６０ａが一体となって流路内に形成されておらず、上下方向に所定間隔だけ離れて形成されている。そのため、複数のリブ７６０ａが一体形成されている場合に比べて、複数のリブ７６０ａ同士の間を通してピアノ線を第２誘導口７６ｃに導き易くすることができる。したがって、これらのリブ７６０ａによって、延出部７４を流下した遊技球の流路を変更可能にしつつ、ピアノ線を用いたゴト対策を確実に講じることができる。
【００３４】
次に、図９を参照して、上記実施形態例のファール球回収経路９０の変形例について説明する。本変形例に係るファール球回収経路９０においては、第１屈曲部７３に形成された第１壁部７３ａの形状が湾曲形状になっている点、および第１壁部７３ａにリブ７３０ｂが形成されていない点において、上記実施形態例と異なっている。
【００３５】
図９に示す第１壁部（案内壁）７３ａは延出部７４側に向かって略円弧状に湾曲しながら流路内に突出しており、その突出量は、受入部７２の第２傾斜経路７２ｂ側よりも第１屈曲部７３の第２壁部７３ｂ側の方が大きくなっている。なお、第１誘導口７３ｃは第１壁部７３ａに隣接する位置に形成されている。このような構成によれば、第１壁部７３ａが直線状に立設された上記実施形態例に比べて、第１屈曲部７３から延出部７４へ遊技球を円滑に案内することができるとともに、第２壁部７３ｂにリブ７３０ｂを形成する必要を無くすこともできる。なお、この変形例では、第１壁部７３ａは湾曲形状となっていたが、これに限られず、第１壁部７３ａから延出部７４へ遊技球を円滑に案内可能となるように、第１壁部７３ａから延出部７４に向かって斜め左方に突出していればよい。
【００３６】
なお、上記実施形態例では、ファール球回収経路９０には、第１屈曲部７３に第１誘導口７３ｃ、第２屈曲部７６に第２誘導口７６ｃ、第３屈曲部８１に第３誘導口８１ｃが形成されていたが、これに限られず、少なくとも１箇所に誘導口が形成されていればよい。例えば第１屈曲部７３の第１誘導口７３ｃだけが形成された構成であってもよい。
【００３７】
また、上記実施形態例では、ファール球は上段受皿１０に払い戻されるようになっていたが、これに限られず、下段受皿１１に払い戻されるようになっていてもよい。
【００３８】
また、上記実施形態例では、ファール球回収経路９０は、内枠２に形成された後部回収経路７０と前扉３に形成された前部回収経路８０とによって構成されていたが、これに限られない。例えば内枠２に形成された複数の回収経路と、前扉３に形成された排出経路とによって構成されるようにしてもよい。
【００３９】
また、上記実施形態例では、ファール球回収経路９０の受入部７２は、前面側に配置される第１傾斜経路７２ａと、背面側に配置される第２傾斜経路７２ｂとによって構成されていたが、これに限られない。例えば、第１傾斜経路７２ａの右側方に隣接して第２傾斜経路７２ｂが設けられ、第１傾斜経路７２ａは背面側から前面側に向かって下り傾斜し、第２傾斜経路７２ｂは前面側から背面側に向かって下り傾斜させる。そして、第１傾斜経路７２ａの前端部と第２傾斜経路７２ｂの前端部とが同じ高さになって連結され、第２傾斜経路７２ｂの後端部が第１屈曲部７３と連通するようにしてもよい。
【００４０】
また、上記実施形態例では、ファール球回収経路９０の受入部７２において、遊技球が落下する第１傾斜経路７２ａの左端部上には何も設けられていない構成であったが、これに限られない。例えば、第１傾斜経路７２ａの左端部上に衝撃吸収部材が設けられてもよい。こうすれば、落下した遊技球が第１傾斜経路７２ａに与える衝撃を衝撃吸収部材によって吸収することができる。また、この衝撃吸収部材自体が右下がりに傾斜するように形成されていれば、衝撃吸収部材上に落下した遊技球を第１傾斜経路７２ａに沿って流下させる勢いを付けることができるので、受入部７２での遊技球の滞留を防止することができる。
【００４１】
また、上記実施形態例では、第１開口（第１経路）７１は、後部ファール球回収部材４１の上端部に形成されている構成であったが、これに限られない。例えば、後部ファール球回収部材４１の上端部に、内枠２の背面側にコの字状に窪んだ窪み部が形成されており、前扉３が内枠２に対して閉じられると、前扉３の背面側に形成された所定部材（例えば支持板等）と、窪み部とが組み合わされることにより、第１開口が形成されるような構成であってもよい。
【符号の説明】
【００４２】
Ｐ    パチンコ機（遊技機）
６    遊技盤
１０  上段受皿（貯留皿）
４０  発射装置
６０  遊技領域
６１  案内経路
６３  始動入賞口（賞球口）
６４  一般入賞口（賞球口）
７０  後部回収経路（回収経路）
７１  第１開口（第１経路）
７２  受入部
７３  第１屈曲部（屈曲経路）
７３ａ  第１壁部（不正侵入防止部、案内壁）
７３ｂ  第２壁部（不正侵入防止部）
７３ｃ  第１誘導口（不正侵入防止部）
７６  第２屈曲部（屈曲経路）
７６ａ  第３壁部（不正侵入防止部）
７６ｂ  第４壁部（不正侵入防止部）
７６ｃ  第２誘導口（不正侵入防止部）
８０  前部回収経路（回収経路）
８１  第３屈曲部（屈曲経路）
８０ａ  第２開口（第２経路）
８１ａ  第５壁部（不正侵入防止部）
８１ｂ  第６壁部（不正侵入防止部）
８１ｃ  第３誘導口（不正侵入防止部）
９０  ファール球回収経路（回収経路）
【図１】
2020156614.tif 000003
【図２】
2020156614.tif 000004
【図３】
2020156614.tif 000005
【図４】
2020156614.tif 000006
【図５】
2020156614.tif 000007
【図６】
2020156614.tif 000008
【図７】
2020156614.tif 000009
【図８】
2020156614.tif 000010
【図９】
2020156614.tif 000011